【事件の表示】
　平成１０年特許願第１１５９９７号「ディジタル音場制御装置」拒絶査定不服審判事件〔平成１１年１０月２９日出願公開、特開平１１−２９９０００〕について、次のとおり審決する。
【結　論】
　本件審判の請求は、成り立たない。
【理　由】
１．手続の経緯
　本願は、平成１０年４月１０日の出願であって、平成１９年１０月１６日付けで拒絶査定がなされ、これに対し、平成２０年１月２１日に審判請求がなされ、平成２０年２月１９日付けで手続補正がなされたものである。
　
２．本願発明について
（１）本願発明
　本願の請求項に係る発明は、平成２０年２月１９日付けで手続補正された特許請求の範囲の請求項１に記載された事項により特定される次のとおりのもの（以下、「本願発明」という）である。
  
「第１のチャネルの音声信号が入力され、第１のサンプリングレートでダウンサンプリングを行う第１のダウンサンプリング回路と、
　前記第１のチャネルの音声信号が入力され、前記第１のサンプリングレートと異なる第２のサンプリングレートでダウンサンプリングを行う第２のダウンサンプリング回路と、
　前記第１のチャネルの音声信号が入力される第１、第２の遅延回路と、
　前記第１のダウンサンプリング回路の出力が入力される第３、第４の遅延回路と、
　前記第２のダウンサンプリング回路の出力が入力される第５、第６の遅延回路と、
　第２のチャネルの音声信号が入力され、第３のサンプリングレートでダウンサンプリングを行う第３のダウンサンプリング回路と、
　前記第２のチャネルの音声信号が入力され、前記第３のサンプリングレートと異なる第４のサンプリングレートでダウンサンプリングを行う第４のダウンサンプリング回路と、
　前記第２のチャネルの音声信号が入力される第７、第８の遅延回路と、
　前記第３のダウンサンプリング回路の出力が入力される第９、第１０の遅延回路と、
　前記第４のダウンサンプリング回路の出力が入力される第１１、第１２の遅延回路と、
　前記第１〜第１２の遅延回路の出力がそれぞれ入力される第１〜第１２のフィルタと、
　前記第１〜第１２のフィルタのうち奇数番目のフィルタの出力が入力され、同一サンプリングレートの信号をサンプリングレート毎に合成し、合成された信号に対して元の信号に戻るレートでアップサンプリングを行った後、全ての信号を合成して第１のチャネルの音声を再生する第１の音声再生手段と、
　前記第１〜第１２のフィルタのうち偶数番目のフィルタの出力が入力され、同一サンプリングレートの信号をサンプリングレート毎に合成し、合成された信号に対して元の信号に戻るレートでアップサンプリングを行った後、全ての信号を合成して第２のチャネルの音声を再生する第２の音声再生手段と、
　前記第１〜第１２の遅延回路からの出力及び該出力に施すフィルタ係数を格納する第１の記録手段と、
　前記第１の記録手段に格納された前記第１〜第１２の遅延回路からの出力及び該出力に施すフィルタ係数が局所的に転送される前記第１の記録手段よりも容量の小さい第２の記録手段と、を備え、
　前記第１〜第１２のフィルタは、前記第２の記録手段に転送された前記第１〜第１２の遅延回路からの出力及び該出力に施すフィルタ係数を繰り返し使用して、前記第１〜第１２の遅延回路からの出力を処理し、
　前記第１〜第１２の遅延回路は、外部からの制御信号に応じて遅延時間を変更可能であり、該遅延時間の変更指示があったときに、遅延時間を徐々に目標値に近づけることができ、
　前記第１、第２の音声再生手段は、各サンプリングレート毎に合成された信号のレベルを調整するレベル変更手段を備え、外部からの制御信号に応じて音声レベルを変更可能であり、該音声レベルの変更指示があったときに、音声レベルを徐々に目標値に近づけることができ、
　前記第２のダウンサンプリング回路は、前記第１のダウンサンプリング回路の出力を更にサンプリングすることにより前記第１のサンプリングレートと異なる第２のサンプリングレートでのダウンサンプリングを実現し、前記第４のダウンサンプリング回路は、前記第３のダウンサンプリング回路の出力を更にサンプリングすることにより前記第３のサンプリングレートと異なる第４のサンプリングレートでのダウンサンプリングを実現することを特徴とするディジタル音場制御装置。」
　
（２）刊行物の記載事項
　これに対して、原査定の拒絶の理由に引用された本願の出願日前に頒布された刊行物である特開平７−３３４１７５号公報（以下、「刊行物１」という）には、図面とともに次のア、イの事項が記載されている。
ア．「【０００２】
【従来の技術】図３は従来の車載用音場補正装置の構成を示すブロック図であり、これはオーディオ出力が２チャンネル(左右：ＬＲで示す)の場合の構成を示している。図３において、31は補正用ＦＩＲフィルタ演算部、32はディジタルオーディオ信号を入力する入力端子、33は係数が固定の補正用ＦＩＲフィルタであり、加算器34に接続されている。35はディジタルオーディオ信号出力端子であり、前記加算器34に接続されている。ここで、各補正用ＦＩＲフィルタ33のＣL，ＣR，ＴL，ＴRはそれぞれの伝達関数であり、これについては後述する。
【０００３】次に上記従来例の動作について説明する。図３において、ディジタルオーディオ信号入力端子32より入力されたディジタルオーディオ信号ＩL，ＩRは、補正用ＦＩＲフィルタ33によって所望の振幅・位相特性に変換される。補正用ＦＩＲフィルタ33の出力は、加算器34によって加算され、ディジタルオーディオ信号出力端子35より出力される。」
　
イ．「【００２６】
【実施例】図１は本発明の第１の実施例における車載用音場補正装置の構成を示すブロック図である。図１において、11はディジタルオーディオ信号入力端子であり、補正用ＦＩＲフィルタ演算部12に接続されている。補正用ＦＩＲフィルタ演算部12の出力は、ディジタルオーディオ信号出力端子13に接続されている。14はフィルタ係数選択手段であり、車室内温度判定手段15とフィルタ係数入れ換え器16に接続されている。フィルタ係数入れ換え器16は補正用ＦＩＲフィルタ演算部12とフィルタ係数格納器17に接続されている。ここで、車室内温度判定手段15は、例えば、オート・エアコントローラ等に付随している車室内温度判定装置を用いればよい。
【００２７】次に、上記第１の実施例の動作について説明する。上記第１の実施例において、ディジタルオーディオ信号入力端子11に入力された信号は、補正用ＦＩＲフィルタ演算部12に入力される。補正用ＦＩＲフィルタ演算部12に入力された信号は所望の振幅・位相特性に変換され、ディジタルオーディオ信号出力端子13より出力される。補正用ＦＩＲフィルタ演算部12の構成は、上記従来例の図３に示す補正用ＦＩＲフィルタ演算部31と同様である。
【００２８】一方、車室内温度判定手段15は、車室内の温度が何度であるかを判定し、その情報信号を出力する。フィルタ係数選択手段14は、車室内温度判定手段15の出力信号から、フィルタ係数格納器17に格納されている係数のうち１種類を選択し、フィルタ係数入れ換え器16に通知する。フィルタ係数入れ換え器16は、フィルタ係数選択手段14からの通知によりフィルタ係数格納器17に格納されている係数のうち１種類を読み込み、補正用ＦＩＲフィルタ演算部12の係数と入れ換える。
【００２９】このように、上記第１の実施例によれば、車室内の温度が変化した場合に、補正用ＦＩＲフィルタ演算部12のフィルタ係数を入れ換えることができ、車室内温度の変化に応じた車室内音場補正ができるという効果を有する。」
　
　以上の記載により、刊行物１には次の発明（以下、「刊行物１発明」という）が記載されているものと認められる。
　
　ディジタルオーディオ信号ＩＲが入力される、伝達関数ＴＲを有する補正用ＦＩＲフィルタ、及び、伝達関数ＣＲを有する補正用ＦＩＲフィルタと、
　ディジタルオーディオ信号ＩＬが入力される、伝達関数ＣＬを有する補正用ＦＩＲフィルタ、及び、伝達関数ＴＬを有する補正用ＦＩＲフィルタと、
　伝達関数ＴＲを有する補正用ＦＩＲフィルタの出力と伝達関数ＣＬを有する補正用ＦＩＲフィルタの出力を加算し出力する加算器、出力端子と、
　伝達関数ＣＲを有する補正用ＦＩＲフィルタの出力と伝達関数ＴＬを有する補正用ＦＩＲフィルタの出力を加算し出力する加算器、出力端子とを備え、
　前記補正用ＦＩＲフィルタは、車室内の温度の変化に対応してフィルタ係数を入れ換えることができる音場補正装置。
　
　
　また、原査定の拒絶の理由に引用された本願の出願日前に頒布された刊行物である特開平１−１４４８１４号公報（以下、「刊行物２」という）には、図面とともに次のウ〜オの事項が記載されている。
ウ．「３、発明の詳細な説明
　産業上の利用分野
　本発明は臨場感のある音響再生を行なうための音場再生装置に関するものである。
　従来の技術
　近年、臨場感のある音響再生が望まれ、ホールのインパルス応答を測定あるいはシミレーションにより求め、これと音楽信号をたたみ込み演算して試聴者をとり囲むように配置されたスピーカにより再生する機器が開発されてきている。」（第１頁右下欄第１０行−第１９行）
　
エ．「発明が解決しようとする問題点
　しかしながら上記のような構成では、たたみ込み演算において処理できる最大の遅延時間はデータメモリ２５の容量とサンプリング周波数によって決まり、また１サンプリング時間内における乗算回数はサンプリング周期をたたみ込み部２４のマシンサイクルで徐した数が最大値となる。したがって、広帯域再生のためにサンプリング周波数を高く設定すると、第５図ａに示すようにインパルス応答の一部(図では３Ｔの時間幅)しか処理できず、またその時間幅においても十分なタップ数でのたたみ込みができないという問題点があった。
　本発明は上記問題点に鑑み、ホール等空間の反射音は高次になるほど高域成分が減衰することに着目し、インパルス応答の遅れ時間の大きい部分のたたみ込み演算をＡ／Ｄ部よりも低いサンプリング周波数にて実行することにより、小規模のハードウェアで応答時間が長くかつ多数のインパルス列をたたみ込むことが可能となり、より臨場感に富んだ音場を再生することができる音場再生装置を提供せんとするものである。」（第２頁右上欄第９行−左下欄第１０行）
　
オ．「第１図は、本発明の実施例における音場再生装置のブロック図を示すものである。
　第１図において、入力端子１、Ａ／Ｄ部２、Ｄ／Ａ部２２、出力端子２３は第４図と同様である。４はＡ／Ｄ部２から出力されたディジタル信号を格納するための第１のデータメモリ、５は上記ディジタル信号とたたみ込まれるタップ係数が格納されている第１の係数メモリ、３はこれらのたたみ込み処理を行なう第１のたたみ込み部である。
　６はＡ／Ｄ部２の出力信号を遅延するための第１の遅延手段、７は第１の遅延手段６からの出力信号を低域濾過するための第１のローパスフィルタ（ L P F ）、８は第１のローパスフィルタ７から出力されたディジタル信号を間引き等の処理によりサンプリング周波数を下げるための第１のダウンサンプリング部、１０は第１のダウンサンプリング部からの信号を格納するための第２のデータメモリ、１１は上記信号とたたみ込み演算されるタップ係数が格納される第２の係数メモリ、９はこれらのたたみ込み処理を行なう第２のたたみ込み部、１４は第１のダウンサンプリング部８からの出力信号を一定時間遅延させるための第２の遅延手段、１５は第２の遅延手段１４からの出力信号を低域濾過するための第２のローパスフィルタ、１６は第２のローパスフィルタ１６から出力されたディジタル信号を間引き等の処理によりサンプリング周波数を下げるための第２のダウンサンプリング部、１８は第２のダウンサンプリング部１６からの信号を格納するための第３のデータメモリ、１９は上記信号とたたみ込み演算されるタップ係数が格納される第３の係数メモリ、１７はこれらのたたみ込み処理を行なう第３のたたみ込み部、２０は第３のたたみ込み部１７からの出力信号に零値補間等の処理によりサンプリング周波数を第１のダウンサンプリング部８の出力と同じ値にまで上げるための第２のアップサンプリング部、２１は第２のアップサンプリング部２０からの出力信号を平滑化するための第２のローパスフィルタで、第２のローパスフィルタ１５と同じ特性のものを使用している。１２は第２のたたみ込み部９と第２のローパスフィルタ２１の両出力信号の加算の結果得られる信号に零値補間等の処理を行なうことによりサンプリング周波散をもとの値に上げるための第２のアップサンプリング部、１３は第１のアップサンプリング部１２からの出力を平滑化するための第３のローパスフィルタで、第１のローパスフィルタ６と同じ特性のものを使用している。２２はＤ／Ａ部で、第１のたたみ込み部３と第３のローパスフィルタ１３の両出力信号の加算の結果得られるディジタル信号をアナログ信号に変換するとともに、出力端子２３から出力する。」（第２頁右下欄第１６行−第３頁左下欄第６行）
　
　以上の記載により、刊行物２には次の発明（以下、「刊行物２発明」という）が記載されているものと認められる。
　
　音楽信号が入力され、ダウンサンプリングを行う第１のダウンサンプリング部と、
　前記第１のダウンサンプリング部の出力信号が入力され、さらにダウンサンプリングを行う第２のダウンサンプリング部と、
　前記音楽信号が入力される第１のたたみ込み部と、
　前記第１のダウンサンプリング部の出力信号が入力される第２のたたみ込み部と、
　前記第２のダウンサンプリング部の出力信号が入力される第３のたたみ込み部と、
　前記第３のたたみ込み部の出力信号に対してアップサンプリングを行う第２のアップサンプリング部と、
　前記第２のアップサンプリング部の出力信号と前記第２のたたみ込み部の出力信号とが加算された後にアップサンプリングを行う第１のアップサンプリング部と、
　前記第１のアップサンプリング部の出力信号と前記第１のたたみ込み部の出力信号とが加算された後、出力する出力端子と、
　を備えるディジタル音場再生装置。
　
（３）対比
　本願発明と刊行物１発明とを対比する。
　
　通常、ＦＩＲフィルタは、直列に接続した複数の遅延回路とそれらの間の信号それぞれに係数を乗算したものを加算する構成となっているものであることから、刊行物１発明の 「伝達関数ＴＲ（及び、ＣＲ、ＣＬ、ＴＬ）を有する補正用ＦＩＲフィルタ」は、遅延回路及びその出力が入力されるフィルタと回路的に等価なものである。したがって、刊行物１発明の「伝達関数ＴＲ（ＣＲ、ＣＬ、ＴＬ）を有する補正用ＦＩＲフィルタ」は、それぞれ、本願発明の「第１（２、７、８）の遅延回路、及び、第１（２、７、８）のフィルタ」に対応付けることができる。（なお、伝達関数ＴＲ（ＣＲ、ＣＬ、ＴＬ）と第１（２、７、８）などの番号とのそれぞれの対応付けは、刊行物１のＲ、Ｌが、それぞれ、本願発明の第１のチャネル、第２のチャネルとなるように対応付けた。）
　したがって、刊行物１発明の「ディジタルオーディオ信号ＩＲが入力される、伝達関数ＴＲを有する補正用ＦＩＲフィルタ、及び、伝達関数ＣＲを有する補正用ＦＩＲフィルタ」は、本願発明の「第１のチャネルの音声信号が入力される第１、第２の遅延回路、及び、前記第１、第２の遅延回路の出力がそれぞれ入力される第１、第２のフィルタ」に相当する。
　同様に、刊行物１発明の「ディジタルオーディオ信号ＩＬが入力される、伝達関数ＣＬを有する補正用ＦＩＲフィルタ、及び、伝達関数ＴＬを有する補正用ＦＩＲフィルタ」は、本願発明の「第２のチャネルの音声信号が入力される第７、第８の遅延回路、及び、前記第７、第８の遅延回路の出力がそれぞれ入力される第７、第８のフィルタ」に相当する。
　
　刊行物１発明の「伝達関数ＴＲを有する補正用ＦＩＲフィルタの出力と伝達関数ＣＬを有する補正用ＦＩＲフィルタの出力を加算し出力する加算器、出力端子」は、第１、第７のフィルタの出力を合成し、第１のチャネルの音声を再生するものといえ、また、第１、第７のフィルタの出力が同一サンプリングレートの信号であることは明らかである。　したがって、本願発明の「第１〜第１２のフィルタのうち奇数番目のフィルタの出力が入力され、同一サンプリングレートの信号をサンプリングレート毎に合成し、合成された信号に対して元の信号に戻るレートでアップサンプリングを行った後、全ての信号を合成して第１のチャネルの音声を再生する第１の音声再生手段」と、刊行物１発明の「伝達関数ＴＲを有する補正用ＦＩＲフィルタの出力と伝達関数ＣＬを有する補正用ＦＩＲフィルタの出力を加算し出力する加算器、出力端子」とは、「第１、第２、第７、第８のフィルタのうち奇数番目のフィルタの出力が入力され、同一サンプリングレートの信号を合成し、第１のチャネルの音声を再生する第１の音声再生手段」といえる点で共通する。
　同様に、本願発明の「第１〜第１２のフィルタのうち偶数番目のフィルタの出力が入力され、同一サンプリングレートの信号をサンプリングレート毎に合成し、合成された信号に対して元の信号に戻るレートでアップサンプリングを行った後、全ての信号を合成して第２のチャネルの音声を再生する第２の音声再生手段」と、刊行物１発明の「伝達関数ＣＲを有する補正用ＦＩＲフィルタの出力と伝達関数ＴＬを有する補正用ＦＩＲフィルタの出力を加算し出力する加算器、出力端子」とは、「第１、第２、第７、第８のフィルタのうち偶数番目のフィルタの出力が入力され、同一サンプリングレートの信号を合成し、第２のチャネルの音声を再生する第２の音声再生手段」といえる点で共通する。
　
　刊行物１発明は、「前記補正用ＦＩＲフィルタは、車室内の温度の変化に対応してフィルタ係数を入れ換えることができる音場補正装置」であって、外部からの制御によってフィルタ係数を入れ換えることにより補正用ＦＩＲフィルタの遅延時間を制御できるものであるから、「遅延回路は、外部からの制御信号に応じて遅延時間を変更可能であるディジタル音場制御装置」といえるものである。
　
　以上をまとめると、本願発明と刊行物１発明とは、次の一致点及び相違点１ないし３を有する。
　
［一致点］
　第１のチャネルの音声信号が入力される第１、第２の遅延回路と、
　第２のチャネルの音声信号が入力される第７、第８の遅延回路と、
　前記第１、第２、第７、第８の遅延回路の出力がそれぞれ入力される第１、第２、第７、第８のフィルタと、
　前記第１、第２、第７、第８のフィルタのうち奇数番目のフィルタの出力が入力され、同一サンプリングレートの信号を合成し、第１のチャネルの音声を再生する第１の音声再生手段と、
　前記第１、第２、第７、第８のフィルタのうち偶数番目のフィルタの出力が入力され、同一サンプリングレートの信号を合成し、第２のチャネルの音声を再生する第２の音声再生手段と、
　前記第１、第２、第７、第８の遅延回路は、外部からの制御信号に応じて遅延時間を変更可能であるディジタル音場制御装置。
　
［相違点１］
　本願発明は、
「第１のチャネルの音声信号が入力され、第１のサンプリングレートでダウンサンプリングを行う第１のダウンサンプリング回路と、
　前記第１のチャネルの音声信号が入力され、前記第１のサンプリングレートと異なる第２のサンプリングレートでダウンサンプリングを行う第２のダウンサンプリング回路と、
　前記第１のチャネルの音声信号が入力される第１、第２の遅延回路と、
　前記第１のダウンサンプリング回路の出力が入力される第３、第４の遅延回路と、
　前記第２のダウンサンプリング回路の出力が入力される第５、第６の遅延回路と、
　第２のチャネルの音声信号が入力され、第３のサンプリングレートでダウンサンプリングを行う第３のダウンサンプリング回路と、
　前記第２のチャネルの音声信号が入力され、前記第３のサンプリングレートと異なる第４のサンプリングレートでダウンサンプリングを行う第４のダウンサンプリング回路と、
　前記第２のチャネルの音声信号が入力される第７、第８の遅延回路と、
　前記第３のダウンサンプリング回路の出力が入力される第９、第１０の遅延回路と、
　前記第４のダウンサンプリング回路の出力が入力される第１１、第１２の遅延回路と、
　前記第１〜第１２の遅延回路の出力がそれぞれ入力される第１〜第１２のフィルタと、
　前記第１〜第１２のフィルタのうち奇数番目のフィルタの出力が入力され、同一サンプリングレートの信号をサンプリングレート毎に合成し、合成された信号に対して元の信号に戻るレートでアップサンプリングを行った後、全ての信号を合成して第１のチャネルの音声を再生する第１の音声再生手段と、
　前記第１〜第１２のフィルタのうち偶数番目のフィルタの出力が入力され、同一サンプリングレートの信号をサンプリングレート毎に合成し、合成された信号に対して元の信号に戻るレートでアップサンプリングを行った後、全ての信号を合成して第２のチャネルの音声を再生する第２の音声再生手段」、
とを備え、
「前記第２のダウンサンプリング回路は、前記第１のダウンサンプリング回路の出力を更にサンプリングすることにより前記第１のサンプリングレートと異なる第２のサンプリングレートでのダウンサンプリングを実現し、前記第４のダウンサンプリング回路は、前記第３のダウンサンプリング回路の出力を更にサンプリングすることにより前記第３のサンプリングレートと異なる第４のサンプリングレートでのダウンサンプリングを実現することを特徴とする」ものであるのに対し、刊行物１発明は、そのようなダウンサンプリング回路、アップサンプリングを行う手段、及び、それらに対応した遅延回路及びフィルタを備えていない点。
　
［相違点２］
　本願発明は、「前記第１〜第１２の遅延回路からの出力及び該出力に施すフィルタ係数を格納する第１の記録手段と、
　前記第１の記録手段に格納された前記第１〜第１２の遅延回路からの出力及び該出力に施すフィルタ係数が局所的に転送される前記第１の記録手段よりも容量の小さい第２の記録手段と、を備え、
　前記第１〜第１２のフィルタは、前記第２の記録手段に転送された前記第１〜第１２の遅延回路からの出力及び該出力に施すフィルタ係数を繰り返し使用して、前記第１〜第１２の遅延回路からの出力を処理」するものであるのに対し、刊行物１発明は、そのような特定はされていない点。
　
［相違点３］
　本願発明は、「遅延回路は、外部からの制御信号に応じて遅延時間を変更可能であり、該遅延時間の変更指示があったときに、遅延時間を徐々に目標値に近づけることができ、
　前記第１、第２の音声再生手段は、各サンプリングレート毎に合成された信号のレベルを調整するレベル変更手段を備え、外部からの制御信号に応じて音声レベルを変更可能であり、該音声レベルの変更指示があったときに、音声レベルを徐々に目標値に近づけることができ」るものであるのに対し、刊行物１発明は、外部からの制御信号に応じて遅延時間を変更可能であるが、それ以外の点は特定されていない点。
　
（４）当審の判断
　これらの各相違点についてそれぞれ考察する。
　
［相違点１］について
　上記したように刊行物２には、「音楽信号が入力され、ダウンサンプリングを行う第１のダウンサンプリング部と、
　前記第１のダウンサンプリング部の出力信号が入力され、さらにダウンサンプリングを行う第２のダウンサンプリング部と、
　前記音楽信号が入力される第１のたたみ込み部と、
　前記第１のダウンサンプリング部の出力信号が入力される第２のたたみ込み部と、
　前記第２のダウンサンプリング部の出力信号が入力される第３のたたみ込み部と、
　前記第３のたたみ込み部の出力信号に対してアップサンプリングを行う第２のアップサンプリング部と、
　前記第２のアップサンプリング部の出力信号と前記第２のたたみ込み部の出力信号とが加算された後にアップサンプリングを行う第１のアップサンプリング部と、
　前記第１のアップサンプリング部の出力信号と前記第１のたたみ込み部の出力信号とが加算された後、出力する出力端子と、
　を備えるディジタル音場再生装置。」の発明（刊行物２発明）が記載されている。
　刊行物２発明における、入力される音楽信号は１つのチャネルの信号であり、また、刊行物２発明の「第１のアップサンプリング部」、「第２のアップサンプリング部」の動作は、サンプリングレート毎に、信号に対して元の信号に戻るレートでアップサンプリングを行うものであるといえるから、刊行物２発明は、本願発明の用語を用いれば、「第１のチャネルの音声信号が入力され、第１のサンプリングレートでダウンサンプリングを行う第１のダウンサンプリング回路と、前記第１のチャネルの音声信号が入力され、前記第１のサンプリングレートと異なる第２のサンプリングレートでダウンサンプリングを行う第２のダウンサンプリング回路と、前記第１のチャネルの音声信号が入力される第１のたたみ込み部と、前記第１のダウンサンプリング回路の出力が入力される第２のたたみ込み部と、前記第２のダウンサンプリング回路の出力が入力される第３のたたみ込み部と、第１〜第３のたたみ込み部の出力をサンプリングレート毎に、信号に対して元の信号に戻るレートでアップサンプリングを行った後、全ての信号を合成してて第１のチャネルの音声を再生する第１の音声再生手段と、を備え、前記第２のダウンサンプリング回路は、前記第１のダウンサンプリング回路の出力を更にサンプリングすることにより前記第１のサンプリングレートと異なる第２のサンプリングレートでのダウンサンプリングを実現するディジタル音場制御装置」であるといえる。
　刊行物１発明と刊行物２発明は、何れも、音場制御に関する装置であるから、刊行物１発明において、ディジタルオーディオ信号ＩＲ、（本願発明の「第１のチャネルの音声信号」に相当）、ディジタルオーディオ信号ＩＬ（本願発明の「第２のチャネルの音声信号」に相当）それぞれに対して、刊行物２発明のダウンサンプリング部によりサンプリングレートを３つに分けて、それぞれ対応した遅延回路及びフィルタを用いた同様の演算を行ってからアップサンプリングをして全ての信号を合成する構成とすることは、当業者が容易に想到し得ることである。この場合、遅延回路及びフィルタの数は、（刊行物１発明のＦＩＲフィルタの数）４×（サンプリングレートの数）３＝（本願発明における第１〜第１２の遅延回路及びフィルタの数）１２となる。
　
［相違点２］について
　信号に対するフィルタ演算を効率的に行う方法として、「信号及び該信号に施すフィルタ係数を格納する第１の記録手段と、前記第１の記録手段に格納された前記信号及び該信号に施すフィルタ係数が局所的に転送される前記第１の記録手段よりも容量の小さい第２の記録手段とを備え、前記フィルタは、前記第２の記録手段に転送された信号及び該信号に施すフィルタ係数を繰り返し使用して、前記信号を処理する方法」は、周知技術（例えば、拒絶査定で示した特開平４−１４９５９８号公報（第２図）、特開平５−１３４６６１号公報（図３）には、フィルタ演算に必要なデータを外部の記憶手段から一旦フィルタ内部のＲＡＭなどに記憶し、それらを繰り返し用いて演算することが記載されている。）であるから、刊行物１発明において、ＦＩＲフィルタの演算を効率的に行うために、該周知のフィルタ演算方法を用いることに格別の困難はなく、当業者が容易に想到し得ることである。（なお、フィルタ演算を行う対象の信号が、第１から第１２の遅延回路からの出力である点は、上記相違点１に対する判断で示したとおりである。）
　
［相違点３］について
　音声再生手段において、周波数成分毎（本願発明の「サンプリングレート毎」に相当）に音声レベルを制御すること、遅延時間や音声レベルの変更指示があったときに、音声が急に変化しないように徐々に目標値に近づけるように制御することは、何れも、例を挙げるまでもなく普通に行われている周知の技術であるから、刊行物１発明において、遅延時間のみでなく音声再生手段で周波数成分毎に音声レベルも制御し、それらの変更指示があったときに徐々に目標値に近づける制御を行うことは、当業者が容易に想到し得ることである。
　
　したがって、本願発明は、刊行物１発明、刊行物２発明、及び、周知技術に基づいて、当業者が容易に発明をすることができたものである。
　
３．むすび
　以上のとおり、本願の請求項１に係る発明は、刊行物に記載された発明に基づいて、当業者が容易に発明をすることができたものであるから、特許法第２９条第２項の規定により特許を受けることができないものである。
　したがって、本願は拒絶すべきものであり、審判請求に理由はない。
　よって、結論のとおり審決する。